(57)【要約】【課題】併用される吸収パッドの身体の股間部へのフィット性に優れ、液漏れを起こし難いパッドホルダーを提供すること。【解決手段】前身頃２及び後身頃３の少なくとも一方の肌対向面２ａ、３ａ上に、パッドホルダー１の横方向Ｓに延びる帯状部材７が配されており、該帯状部材７の長手方向両側端部７０，７０と該肌対向面２ａ、３ａとの間は接合されており、該帯状部材７の該長手方向両側端部７０，７０に挟まれた内方部７１と該肌対向面２ａ、３ａとの間は接合されておらず、内方部７１における肌対向面２ａ、３ａとの対向面７１ａ、又は該肌対向面２ａ、３ａにおける該内方部７１との対向領域２ａｓ、３ａｓに、吸収パッド２０に係合可能な係合手段７２が配されており、該係合手段７２によって吸収パッド２０を保持可能になしてある。【選択図】図４
2008284200.tif 000002
【特許請求の範囲】
【請求項１】
前身頃、後身頃及びこれら両者間に位置する股下部を有し、該股下部に吸収パッドが配されて、該吸収パッドと共に着用されるパッドホルダーであって、
前記前身頃及び前記後身頃の少なくとも一方の肌対向面上に、前記パッドホルダーの横方向に延びる帯状部材が配されており、該帯状部材の長手方向両側端部と該肌対向面との間は接合されており、該帯状部材の該長手方向両側端部に挟まれた内方部と該肌対向面との間は接合されておらず、
前記内方部における前記肌対向面との対向面、又は該肌対向面における該内方部との対向領域に、前記吸収パッドに係合可能な係合手段が配されており、該係合手段によって前記吸収パッドを保持可能になしてあるパッドホルダー。
【請求項２】
前記帯状部材が、その長手方向に伸縮性を有している請求項１記載のパッドホルダー。
【請求項３】
前記係合手段と対向する部分に、該係合手段が係合できない係合不能手段が配されている請求項１又は２記載のパッドホルダー。
【請求項４】
前記係合手段が、前記帯状部材の長手方向に沿って所定間隔を置いて複数配置されている請求項１〜３の何れかに記載のパッドホルダー。
【発明の詳細な説明】
【技術分野】
【０００１】
本発明は、尿や経血等の体液を吸収する吸収パッドと併用されるパッドホルダーに関し、詳しくは、吸収パッドの股間部へのフィット性を高め、防漏性を向上させ得るパッドホルダーに関する。
【背景技術】
【０００２】
従来、病院や老人ホーム、在宅介護の現場等においては、パッドホルダーの股下部の肌対向面上に吸収パッドを取り付けた状態で該パッドホルダーを着用し、吸収パッドが液を吸収し難くなった場合は、吸収パッドのみを新品と交換し、パッドホルダーは、必要に応じ洗濯をした上で、再利用することが行われている。これにより、使い捨ておむつ等を使用する場合に比して、ゴミの量やコストの削減を図ることができる。
【０００３】
パッドホルダーには、吸収パッドをしっかりと保持して身体の股間部に密着させ、吸収パッドの位置ズレやめくれを起こさないことが求められる。しかしながら、従来のパッドホルダーは、吸収パッドの保持手段を備えておらず、吸収パッドの保持性は、専ら、吸収パッド自体の性能に依っていたため、吸収パッドの位置ズレやめくれが起こり易く、吸収パッドの股間部へのフィット性が悪く、液漏れが起こり易いという問題があった。
【０００４】
このような問題に鑑み、吸収パッドの保持手段を備えたパッドホルダーが提案されている。例えば特許文献１には、股下部の内側に被覆部材が係止手段によって着脱自在に取付けられ、該股下部の肌対向面と該被覆部材との間に吸収パッドを挟持可能としたショーツが開示されている。
【０００５】
しかし、特許文献１に記載のショーツは、前記被覆部材が着脱自在に取り付けられているため、被覆部材がずれたり、めくれたり、折れたりするおそれがあり、被覆部材あるいはメカニカルファスナのフック部材の如き前記係止手段が肌に触れて、肌を傷つけるおそれがあった。
【０００６】
【特許文献１】特開２００２−３４５８９３号公報
【発明の開示】
【発明が解決しようとする課題】
【０００７】
従って本発明の目的は、併用される吸収パッドの身体の股間部へのフィット性に優れ、液漏れを起こし難いパッドホルダーを提供することにある。
【課題を解決するための手段】
【０００８】
本発明は、前身頃、後身頃及びこれら両者間に位置する股下部を有し、該股下部に吸収パッドが配されて、該吸収パッドと共に着用されるパッドホルダーであって、前記前身頃及び前記後身頃の少なくとも一方の肌対向面上に、前記パッドホルダーの横方向に延びる帯状部材が配されており、該帯状部材の長手方向両側端部と該肌対向面との間は接合されており、該帯状部材の該長手方向両側端部に挟まれた内方部と該肌対向面との間は接合されておらず、前記内方部における前記肌対向面との対向面、又は該肌対向面における該内方部との対向領域に、前記吸収パッドに係合可能な係合手段が配されており、該係合手段によって前記吸収パッドを保持可能になしてあるパッドホルダーを提供することにより、前記目的を達成したものである。
【発明の効果】
【０００９】
本発明のパッドホルダーは、併用される吸収パッドの身体の股間部へのフィット性に優れ、液漏れを起こし難い。
【発明を実施するための最良の形態】
【００１０】
以下、本発明のパッドホルダーを、その好ましい実施形態に基づき図面を参照して説明する。
図１〜図５には、本発明の一実施形態としてのトランクス型（ボクサーパンツ型）のパッドホルダーが示されている。尚、図４及び図５に示すパッドホルダーの立体形状は、着用時の形状に略等しい。
【００１１】
本実施形態のパッドホルダー１は、前身頃２、後身頃３、及び該前身頃２と該後見頃３との間に位置する股下部４を有している。前身頃２は、パッドホルダー１の着用時に身体の腹側に配され、下腹部を覆う部分であり、後身頃３は、背側に配され、臀部を覆う部分である。股下部４は、パッドホルダー１の着用時に身体の股間部に配され、その肌対向面（パッドホルダー着用時に着用者の肌側に向けられる面）上に吸収パッド２０が配される部分である。斯かる構成のパッドホルダー１は、股下部４に吸収パッド２０が配されて、該吸収パッド２０と共に着用される。
【００１２】
本実施形態のパッドホルダー１においては、パッドホルダーを構成する前身頃２、後身頃３及び股下部４が、連続する１枚の身生地１０から形成されている。即ち、これら前身頃２、後身頃３及び股下部４は、接合部分がないように丸編みにて接合されて構成されている。
【００１３】
パッドホルダー１の上側には、着用者のウエスト部分が挿通されて密着されるウエスト開口部５が開口されている。また、このパッドホルダー１の下側には、着用者の各太腿付近が挿通されて密着される一対のレッグ開口部６，６が開口されている。即ち、これら一対のレッグ開口部６，６それぞれは、パッドホルダー１の着用時における上下方向としての縦方向Ｌに沿って所定の長さ（身丈）を有する円筒状の脚部の先端部に形成されている。
【００１４】
ウエスト開口部５の開口周縁部には、ウエスト部弾性部材５１が伸張状態で環状に配されており、これによりウエストギャザーが形成されている。ウエスト部弾性部材５１は、縫い付け、あるいは接着剤等を用いた貼り付け等により、前身頃２及び後身頃３（身生地１０）に固定されている。ウエスト部弾性部材５１としては、例えば、ポリウレタン繊維で形成された伸縮性織布、合成ゴムシート、天然ゴムシート等が用いられる。
【００１５】
レッグ開口部６の開口周縁部には、レッグ部弾性部材６１が伸張状態で環状に配されており、これにより太腿ギャザーが形成されている。レッグ部弾性部材６１は、縫い付け、あるいは接着剤等を用いた貼り付け等により、前身頃２及び後身頃３（身生地１０）に固定されている。レッグ部弾性部材６１としては、上述したウエスト部弾性部材５１と同様のものを用いることができ、レッグ部弾性部材６１とウエスト部弾性部材５１とで弾性部材が同じでも良く、また、異なっていても良い。
【００１６】
本実施形態のパッドホルダー１は、いわゆるトランクス型（ボクサーパンツ型）のパッドホルダーであり、図１及び図２に示すようにパッドホルダー１を前身頃２と後身頃３とが合わさるように着用者のウエスト側部に沿った折曲線１ａ，１ａで２つ折り状態にした場合において、前記太腿ギャザー（レッグ部弾性部材６１）は、股下部４より下方に位置している。
【００１７】
前身頃２の肌対向面２ａ上、及び後身頃３の肌対向面３ａ上それぞれには、パッドホルダー１の横方向Ｓに延びる帯状部材７が配されている。帯状部材７は、横長の矩形形状を有しており、その長手方向をパッドホルダー１の横方向Ｓに一致させて配されている。横方向Ｓは、パッドホルダー１の着用時における上下方向としての縦方向Ｌと直交する方向である。前身頃２側の帯状部材７と後身頃３側の帯状部材７とは、同一形状を有しており、且つ、図１及び図２に示すようにパッドホルダー１を前身頃２と後身頃３とが合わさるように着用者のウエスト側部に沿った折曲線１ａ，１ａで２つ折り状態にしたときに、重なるように配されている。
【００１８】
以下、帯状部材７について、前身頃２の肌対向面２ａ上に配された帯状部材７を例にとって説明するが、前身頃２の肌対向面２ａ上に配された帯状部材７についての以下の説明は特に断らない限り、後身頃３の肌対向面３ａ上に配された帯状部材７にも適用される。尚、図３は、前身頃２側に配された帯状部材７の周辺部についての模式的断面図であるが、後身頃３側に配された帯状部材７の周辺部について図３と同様の断面図を描いた場合に適用される符号を、図３中、カッコ内に示す。
【００１９】
帯状部材７は、前身頃２における股下部４の上方（真上）、即ち、前身頃２の横方向Ｓの中央部に配されている。具体的には、帯状部材７は、パッドホルダー１を前身頃２と後身頃３とが合わさるように着用者のウエスト側部に沿った折曲線１ａ，１ａで２つ折りした状態（図１及び図２に示す状態）において、前身頃２の横方向Ｓの中央部で且つ股下部４の最下部４ａから好ましくは５０〜２５０ｍｍ、更に好ましくは１００〜２００ｍｍ離間した位置に配されている。最下部とは、当該部位（股下部など）においてパッドホルダー着用時に最も下方に位置する部分である。
【００２０】
帯状部材７の長手方向両側端部７０，７０と前身頃２の肌対向面２ａとの間は接合されている。両者の接合は、側端部７０の前身頃２（身生地１０）への縫い付け、あるいは接着剤等の接着手段による接着等により行なうことができる。また、両者の接合は、少なくとも一方（例えば帯状部材７の長手方向両側端部７０）が、メカニカルファスナのフック部材（オス材）、ボタン、ホック、ジッパー等により、他方（例えば前身頃２（身生地１０））と着脱可能になされていても良い。一方、帯状部材７の長手方向両側端部７０，７０に挟まれた内方部７１と前身頃２の肌対向面２ａとの間は接合されておらず、図４及び図５に示すように、該内方部７１と該肌対向面２ａとの間に、吸収パッド２０を挿通可能になされている。
【００２１】
帯状部材７の長手方向の長さ（横方向Ｓの長さ）Ｓ１は、好ましくは１００〜３００ｍｍ、更に好ましくは１５０〜２５０ｍｍであり、該長手方向と直交する幅方向の長さは、好ましくは１０〜６０ｍｍ、更に好ましくは２０〜５０ｍｍである。
前記Ｓ１と内方部７１の長手方向の長さ（横方向Ｓの長さ）Ｓ２との比は、帯状部材７の接合強度と吸収パッド２０の挿通性とのバランスの観点から、Ｓ１／Ｓ２＝１．０３〜１．２５の範囲であることが好ましく、Ｓ１／Ｓ２＝１．０５〜１．１５の範囲であることが更に好ましい。Ｓ１及びＳ２は、パッドホルダー１が未伸張（非着用）の自然状態にあるときに測定する。
【００２２】
帯状部材７としては、前身頃２（身生地１０）との接合が可能で一定以上の強度を有するもの、例えば織布、不織布、フィルム、及びこれらの２種以上を貼り合わせたラミネート材等を用いることができる。
帯状部材７として特に好ましいものは、その長手方向に伸縮性を有しているものである。帯状部材７がその長手方向、即ち、パッドホルダー１の横方向Ｓに伸縮性を有していることにより、内方部７１と前身頃２の肌対向面２ａとの間への吸収パッド２０の挿通が容易になると共に、これらの間に挿通された吸収パッド２０の保持性が向上する。このような好ましい帯状部材７としては、例えば、ゴムなどの弾性伸縮材が縫い込まれた織布、ポリウレタン繊維等の弾性繊維を含む伸縮布及び伸縮不織布、合成繊維又は天然繊維により編織成されたネット状生地及びエンボス生地、ウレタン繊維を織り込んだバイアステープ等が挙げられる。本実施形態では、帯状部材７としてゴムなどの弾性伸縮材が縫い込まれた織布を用いている。
【００２３】
帯状部材７の内方部７１における前身頃２の肌対向面２ａとの対向面７１ａには、吸収パッド２０に係合可能な係合手段７２が配されている。係合手段７２は、帯状部材７（内方部７１）に縫い付けられ、あるいは接着剤等の接着手段により貼り付けられる等して、固定されている。係合手段７２としては、吸収パッド２０の表面材等に係合可能なものであれば良く、吸収パッド２０の種類や構成部材等に応じて適宜選択すれば良い。係合手段７２の具体例としては、展開型の使い捨ておむつ等で用いられているメカニカルファスナのフック部材（オス材）、繰り返し剥離粘着可能な粘着剤、ボタン、ホック、ジッパー等が挙げられる。本実施形態では、係合手段７２としてメカニカルファスナのフック部材を用いている。
【００２４】
本実施形態においては、係合手段７２が、帯状部材７の長手方向（パッドホルダー１の横方向Ｓ）に沿って所定間隔を置いて複数（４つ）配置されている。帯状部材に係合手段を配置すると、該係合手段の配置部位の柔軟性が損なわれ、パッドホルダーの着用感の低下を招くおそれがあるところ、本実施形態のように複数の係合手段を所定間隔を置いて配置することにより、係合手段の配置部位、即ち、柔軟性が低下した部位が点在されるため、帯状部材の柔軟性の低下、パッドホルダーの着用感の低下を抑制することができる。
【００２５】
帯状部材７には、その少なくとも係合手段７２が配置されていない領域に、該帯状部材７をその厚み方向に貫通する開孔（図示せず）が複数形成されていることが、吸収パッド２０への導液効果を向上させる観点から好ましい。帯状部材７に開孔が形成されていることにより、帯状部材７上に液残りが生じにくく、防漏効果が高まると共に肌トラブル低減効果も向上する。開孔の平面視における形状は、特に制限されず、例えば円形、楕円形、矩形、菱形等にすることができる。また、開孔の平面視における大きさは適宜調整することができ、例えば開孔の平面視における形状が円形である場合、該開孔の直径は好ましくは１〜５ｍｍである。また、開孔の数は、帯状部材７の平面視における全面積に対する、該開孔の平面視における面積の合計の割合が、５〜５０％となるように調整されることが好ましい。
【００２６】
また、本実施形態においては、係合手段７２と対向する部分、即ち、前身頃２の肌対向面２ａにおける内方部７１との対向領域２ａｓに、係合手段７２が係合できない係合不能手段８が配されている。係合不能手段８は、前身頃２（身生地１０）に縫い付けられ、あるいは接着剤等の接着手段により貼り付けられる等して、上記所定箇所に固定されている。係合手段７２との対向部分に係合不能手段８が配されていない場合、帯状部材７の内方部７１と前身頃２の肌対向面２ａとの間に吸収パッド２０が挿通されていないと、係合部材７２によって該対向部分がダメージ（身生地１０の破れ、毛羽立ち等）を被るおそれがあり、また、内方部７１と肌対向面２ａとの間に吸収パッド２０を挿通させるときに、係合手段７２を介して該対向部分に係合している帯状部材７を該対向部分から引き剥がす手間が必要となる。そこで、本実施形態のように係合不能手段８を配することによって、係合手段７２に起因するこれらの不都合が回避される。
【００２７】
係合不能手段８としては、係合手段７２が係合することができないものであれば良く、係合手段７２の種類等に応じて適宜選択すれば良い。係合不能手段８の具体例としては、表面が平滑な板状部材（樹脂製フィルム、スパンボンド等の表面平滑な不織布等）、剥離剤、平滑剤等が挙げられる。本実施形態では、係合不能手段８として表面が平滑な樹脂製フィルム（板状部材）を用いている。係合不能手段８の各部の寸法は、係合不能手段８による上述した効果が充分に奏される範囲で適宜設定すれば良い。
【００２８】
前身頃２、後身頃３及び股下部４の形成材料である身生地１０としては、この種のパッドホルダー、生理用ショーツ、使い捨ておむつ、おむつカバー等において前身頃、後身頃及び股下部の形成材料として用いられているものを特に制限無く用いることができる。例えば、合成繊維又は天然繊維からなる織布や不織布、開孔を有する樹脂フィルム等の多孔性シート等、これらの２種以上を貼り合わせたラミネート材等が挙げられる。
【００２９】
身生地１０として特に好ましいものは、伸縮性を有しているものである。身生地１０が伸縮性を有していると、着脱時におけるパッドホルダーの上げ下げが容易になると共に、パッドホルダーの身体へのフィット性が一層高まる。このような好ましい身生地１０としては、例えば、合成繊維又は天然繊維により編織成されたネット状生地等が挙げられる。
【００３０】
本実施形態においては、身生地１０として伸縮性を有しているものを用いており、これにより、パッドホルダー１は、上下方向としての縦方向Ｌ、及び該縦方向Ｌと直行する横方向Ｓそれぞれに沿って伸縮可能に構成されている。身生地１０のパッドホルダー１の縦方向Ｌにおける１．０Ｎ／５０ｍｍ荷重時の伸度は１〜１２０％、好ましくは３５〜９０％であり、身生地１０のパッドホルダー１の横方向Ｓにおける１．０Ｎ／５０ｍｍ荷重時の伸度は３〜９０％、好ましくは３５〜８０％である。
身生地１０の上記伸度は、次のように測定される。
【００３１】
＜身生地の伸度の測定方法＞
測定対象のパッドホルダーから、縦方向Ｌに１５０ｍｍ、該縦方向Ｌと直行する横方向Ｓに５０ｍｍの寸法の長方形形状を切り出し、この切り出された長方形形状を測定サンプルとする。測定サンプルは、ウエスト部弾性部材５１及びレッグ部弾性部材６１を含まないように切り出す。また、パッドホルダーが該パッドホルダーを構成する各々のパーツを縫合してなる場合は、その縫合部を含まないように測定サンプルを切り出す〔縫合部を含まざるを得ない場合は、縫合部をできるだけ少なく含むように切り出すか、又は縫合部がチャック部（測定サンプルの前後２５ｍｍの部分）に位置するように測定サンプルを切り出す〕。測定対象のパッドホルダーから充分な寸法の測定サンプルを切り出せない場合は、チャック部（測定サンプルの前後２５ｍｍの部分）の寸法を小さくしても良い。
この測定サンプルを、その縦方向Ｌが引っ張り方向となるように、引張試験機のチャックに取り付ける。チャック間距離は１００ｍｍとする。測定サンプルを３００ｍｍ／分で引っ張り、荷重値が１．０Ｎの時における該測定サンプルの伸張時の長さ（伸張時にチャック間に位置する測定サンプルの長さ）を用い、下記式から縦方向Ｌの１．０Ｎ／５０ｍｍ荷重時の伸度を求める。
伸度（％）＝[（伸張時の長さ（mm）−１００（mm））／１００（mm）]×１００
また、上記パッドホルダーから、縦方向Ｌに５０ｍｍ、横方向Ｓに１５０ｍｍの寸法の長方形形状を切り出してこれを測定サンプルとし、この測定サンプルを、その横方向Ｓが引っ張り方向となるように、引張試験機のチャックに取り付け、上記と同様の手順により、横方向Ｓの１．０Ｎ／５０ｍｍ荷重時の伸度を求める。
【００３２】
上述の如き構成のパッドホルダー１を使用する場合は、図４及び図５に示すように、吸収パッド２０の長手方向一端部を、前身頃２における帯状部材７の内方部７１と肌対向面２ａとの間に挿通させると共に、該吸収パッド２０の長手方向他端部を、後身頃３における帯状部材７の内方部７１と肌対向面２ａとの間に挿通させる。
【００３３】
このとき、内方部７１の肌対向面２ａとの対向面７１ａに配されている係合手段７２が、吸収パッド２０の表面材等に係合するため、吸収パッド２０が所定位置にしっかりと保持されるようになる。これにより、パッドホルダー１を着用する際に、該パッドホルダー１のウエスト部を摘んで上方に引き上げても、この引き上げによって吸収パッド２０の位置がずれたり、吸収パッド２０がめくれたりすることがなく、吸収パッド２０を身体の股間部に密着させることができる。また、パッドホルダー１の着用中においても、吸収パッド２０の位置ずれやめくれが効果的に防止される。従って、本実施形態のパッドホルダー１によれば、吸収パッド２０の本来の性能が充分に活かされ、吸収パッドの位置ずれなどに起因する液漏れが効果的に防止される。
【００３４】
本実施形態のパッドホルダー１に取り付けられた吸収パッド２０が使用により液を吸収し難くなったときは、吸収パッド２０のみを新しいものと交換すればよく、該パッドホルダー１は、必要に応じ洗濯した後、再利用することができる。従って、本実施形態のパッドホルダー１を使用することによって、ゴミの量を最小限に抑えることができ、コストの削減を図ることができる。
【００３５】
吸収パッド２０としては、この種のパッドホルダーに適用可能なものを特に制限無く用いることができ、例えば生理用ナプキン、尿取りパッド、軽失禁者用パッド等を用いることができる。
【００３６】
以上、本発明をその好ましい実施形態に基づき説明したが、本発明は前記実施形態に制限されない。
例えば、本発明においては、帯状部材は前身頃及び後身頃の少なくとも一方の肌対向面上に配されていれば良く、帯状部材７を、前身頃２の肌対向面２ａ又は後身頃３の肌対向面３ａの何れか一方に配しても良い。
【００３７】
また、前記実施形態においては、係合手段７２が、帯状部材７の内方部７１における、前身頃２の肌対向面２ａとの対向面７１ａ（後身頃３の肌対向面３ａとの対向面７１ａ）、つまり、帯状部材７に配されていたが、係合手段７２は前身頃２（後身頃３）に配されても良い。即ち、係合手段７２は、前身頃２の肌対向面２ａにおける内方部７１との対向領域２ａｓ（後身頃３の肌対向面３ａにおける内方部７１との対向領域３ａｓ）に配されても良い。このように、係合手段７２を前身頃２（後身頃３）に配した場合において、係合不能手段８を配する場合、該係合不能手段８の配置箇所は、該係合手段７２と対向する部分である、帯状部材７の内方部７１における、前身頃２の肌対向面２ａとの対向面７１ａ（後身頃３の肌対向面３ａとの対向面７１ａ）である。
【００３８】
但し、上記のように係合手段７２を前身頃２（後身頃３）に配すると、該係合手段７２が着用者の肌に触れるおそれがあり、肌を傷つけるおそれがあるため、前記実施形態のように、係合手段７２は帯状部材７に配されることが好ましい。
また、係合手段７２は他の材料を介して間接的に帯状部材７に配されていても良い。
【００３９】
また、帯状部材７の形状は、前記実施形態の如き矩形形状に限定されず、実質的に帯状（相対向する一対の長辺の有する細長い形状）であれば良い。例えば、帯状部材７の形状は、相対向する一対の長辺の何れか一方あるいは両方が、外方に向かって凹の凹状、外方に向かって凸の凸状、波状である形状であっても良く、あるいはこれらが適宜組み合わされた形状であっても良い。
また、吸収パッド２０の挿通性を維持しつつ、帯状部材７の長手方向側端部７０と前身頃２の肌対向面２ａとの接合強度を向上させる目的で、長手方向側端部７０における帯状部材７の幅方向長さ（相対向する一対の長辺間の離間距離）を最大にすると共に、該長手方向側端部７０から帯状部材７の内方に向かって該幅方向長さが短くなるようにしても良い（例えば、相対向する一対の長辺のうちの一方を凹状、他方を凸状としても良い）。
【００４０】
また、少なくとも股下部４の肌対向面上に、布おむつあるいは使い捨ておむつ等で一般的に用いられる防水布、吸水布等を配置しても良い。これらの布は、股下部４（身生地１０）に縫い付けられ、あるいは接着剤等の接着手段により股下部４に貼り付けられる。斯かる形態によれば、吸収パッド２０から溢れた液で下衣が汚されるという不都合を、より効果的に防止することができる。
【００４１】
また、前記実施形態においては、前身頃２、後身頃３及び股下部４は、接合部分がないように丸編みにて接合されて構成され、パッドホルダー１が、連続する１枚の身生地１０から実質的に形成されていたが、このような構成に換えて、前身頃２、後身頃３及び股下部４の各々のパーツを縫合してパッドホルダー１を構成し、各々のパーツの両端周縁部が縫合してあっても良い。
【００４２】
また、前身頃２において、帯状部材７とウエスト弾性部材５１の間の身生地１０に、縦方向Ｌあるいは横方向Ｓに沿ったスリット（切れ目）が形成されており、男性着用者が該スリットから陰部を出して排尿可能とされていても良い。特にスリットが横方向Ｓに形成されている場合は、該スリットを下に下げた際に、帯状部材７に係合された吸収パッド２０も同時に下方に移動するため男性の陰部を容易に出すことができ、トイレでの排尿をスムーズに行なうことができる。
スリットは、ボタン、ホック、ジッパー、メカニカルファスナのフック部材（オス材）等で適宜開閉可能とされていることが好ましい。
【００４３】
また、前記実施形態では、本発明のパッドホルダーの適用例の一つとして、着用時においてレッグ開口部の開口周縁部が股下部より下方に位置するトランクス型（ボクサーパンツ型）のパッドホルダーを挙げたが、本発明のパッドホルダーは、「前身頃、後身頃及びこれら両者間に位置する股下部を有し、該股下部に吸収パッドが配されて、該吸収パッドと共に着用されるパッドホルダー」に適用可能であり、トランクス型以外のパッドホルダー、例えば、レッグ開口部の開口周縁部がウエスト開口部に接近したいわゆるハイレッグ型（ブリーフパンツ型）のパッドホルダーにも適用できる。更には、生理用ショーツ、使い捨ておむつ、おむつカバー等にも適用できる。
【図面の簡単な説明】
【００４４】
【図１】本発明のパッドホルダーの一実施形態を前身頃と後身頃とが合わさる２つ折り状態で示した正面（前身頃側）図である。
【図２】図１に示す２つ折り状態のパッドホルダーの背面（後身頃側）図である。
【図３】図１のＩ−Ｉ線断面を拡大して模式的に示す断面図である。
【図４】吸収パッドが取り付けられた図１に示すパッドホルダーを立体形状の状態で示した一部破断斜視図である。
【図５】図４に示すパッドホルダーをその縦方向（上下方向）に沿って該パッドホルダーの横方向中央で切断したときの状態を模式的に示す断面図である。
【符号の説明】
【００４５】
１  パッドホルダー
２  前身頃
２ａ  前身頃の肌対向面
２ａｓ  前身頃の肌対向面における内方部との対向領域
３  後身頃
３ａ  後身頃の肌対向面
３ａｓ  後身頃の肌対向面における内方部との対向領域
４  股下部
５  ウエスト開口部
５１  ウエスト部弾性部材
６  レッグ開口部
６１  レッグ部弾性部材
７  帯状部材
７０  帯状部材の長手方向側端部
７１  内方部
７１ａ  内方部の前身頃又は後身頃の肌対向面との対向面
７２  係合手段
８  係合不能手段
１０  身生地
２０  吸収パッド
【図１】
2008284200.tif 000003
【図２】
2008284200.tif 000004
【図３】
2008284200.tif 000005
【図４】
2008284200.tif 000006
【図５】
2008284200.tif 000007